(57)【要約】【課題】一対の導電性操作ワイヤの間の電気絶縁性を十分に確保することができ、しかも低コストで製造することができる内視鏡用バイポーラ型高周波処置具を提供すること。【解決手段】可撓性シース１内に軸線方向に進退自在に挿通配置された一対の導電性操作ワイヤ８の先端が、可撓性シース１の先端に開閉自在に配置された一対の電極４に連結され、一対の電極４が一対の導電性操作ワイヤ８を介して高周波電源２０の正極と負極とに分かれて接続された内視鏡用バイポーラ型高周波処置具において、可撓性シース１として、電気絶縁性の細長い可撓性中実棒状部材に一対の導電性操作ワイヤ８を各々独立して挿通するための一対のガイド孔１ａが軸線方向に貫通して形成されたマルチルーメンチューブを用いた。【選択図】　　　図１
2004057454.tif 000002
【特許請求の範囲】
【請求項１】
可撓性シース内に軸線方向に進退自在に挿通配置された一対の導電性操作ワイヤの先端が、上記可撓性シースの先端に開閉自在に配置された一対の電極に連結され、上記一対の電極が上記一対の導電性操作ワイヤを介して高周波電源の正極と負極とに分かれて接続されると共に、上記一対の導電性操作ワイヤを手元側から進退操作することにより上記一対の電極が開閉動作をするように構成された内視鏡用バイポーラ型高周波処置具において、
上記可撓性シースとして、電気絶縁性の細長い可撓性中実棒状部材に上記一対の導電性操作ワイヤを各々独立して挿通するための一対のガイド孔が軸線方向に貫通して形成されたマルチルーメンチューブを用いたことを特徴とする内視鏡用バイポーラ型高周波処置具。
【発明の詳細な説明】
【０００１】
【発明の属する技術分野】
この発明は、先端部分に正極と負極の両電極が設けられて内視鏡の処置具挿通チャンネルに挿脱して使用される内視鏡用バイポーラ型高周波処置具に関する。
【０００２】
【従来の技術】
内視鏡用高周波処置具は一般に、電極が一個のいわゆるモノポーラ型が普通であり、もう一つの電極となる対極板が患者の体表面に接触配置されている。
【０００３】
しかし、そのようなモノポーラ型の内視鏡用高周波処置具では、電極と対極板との間の患者の身体を導電体として高周波電流が流れるので、万一患者が他の導電体に触れていると高周波電流がその導電体を伝わって漏れることにより、処置に有効に利用される電流が減少してしまったり、術者やその周辺の人が火傷をする危険性がある。
【０００４】
そこで、例えば特開２０００−２７１１２８等に示されるように、手元側からの遠隔操作によって嘴状に開閉自在に可撓性シースの先端に設けられた一対の電極のうち、一方を高周波電源の正極に接続し、他方を負極に接続した内視鏡用バイポーラ型高周波処置具がある。
【０００５】
このような内視鏡用バイポーラ型高周波処置具では、一般に、可撓性のシースチューブ内に軸線方向に進退自在に挿通配置された一対の導電性操作ワイヤの先端が、シースチューブの先端に開閉自在に配置された一対の電極に連結され、一対の電極が一対の導電性操作ワイヤを介して高周波電源の正極と負極とに分かれて接続されると共に、一対の導電性操作ワイヤを手元側から進退操作することにより上記一対の電極が開閉動作をするように構成されている。
【０００６】
図５は、そのような従来の内視鏡用バイポーラ型高周波処置具のシースチューブ９０の軸線に垂直な断面の断面図であり、一対の導電性操作ワイヤ９１が各々電気絶縁性被覆９２により被覆されて、シースチューブ９０内に並んで挿通配置されている。
【０００７】
【発明が解決しようとする課題】
しかし、シースチューブ９０は内視鏡の処置具挿通チャンネルに挿脱されるものであって太さに厳格な制限があるので、そのシースチューブ９０内に二本並んで挿通された導電性操作ワイヤ９１の電気絶縁性被覆９２は、肉厚を十分に確保するのが困難であり、高周波電流の通電量を大きくすると二本の導電性操作ワイヤ９１の間の電気絶縁性が不十分になる場合があった。
【０００８】
また、導電性操作ワイヤ９１は、体内に挿入されるものであって格別の耐蝕性等が必要とされることから、単純な電気コード等を用いることができず、ステンレス鋼撚り線の所定の範囲に電気絶縁性被覆を被せる等の製造工程が必要となるため、非常にコストの高いものになっていた。
【０００９】
そこで本発明は、一対の導電性操作ワイヤの間の電気絶縁性を十分に確保することができ、しかも低コストで製造することができる内視鏡用バイポーラ型高周波処置具を提供することを目的とする。
【００１０】
【課題を解決するための手段】
上記の目的を達成するため、本発明の内視鏡用バイポーラ型高周波処置具は、可撓性シース内に軸線方向に進退自在に挿通配置された一対の導電性操作ワイヤの先端が、可撓性シースの先端に開閉自在に配置された一対の電極に連結され、一対の電極が一対の導電性操作ワイヤを介して高周波電源の正極と負極とに分かれて接続されると共に、一対の導電性操作ワイヤを手元側から進退操作することにより一対の電極が開閉動作をするように構成された内視鏡用バイポーラ型高周波処置具において、可撓性シースとして、電気絶縁性の細長い可撓性中実棒状部材に一対の導電性操作ワイヤを各々独立して挿通するための一対のガイド孔が軸線方向に貫通して形成されたマルチルーメンチューブを用いたものである。
【００１１】
【発明の実施の形態】
図面を参照して本発明の実施例を説明する。
図２は本発明の実施例の内視鏡用バイポーラ型高周波処置具の先端部分の側面部分断面図、図３は平面断面図である。ただし、図２及び図３においては、各々断面位置が相違する複数の部分を一つの図面に図示してある。
【００１２】
１は、図示されてない内視鏡の処置具挿通チャンネルに挿脱される、直径が２〜３ｍｍ程度で長さが１〜２ｍ程度の可撓性シースであり、例えば四フッ化エチレン樹脂又はシリコン樹脂等のような可撓性のある電気絶縁性の合成樹脂材により形成されている。
【００１３】
可撓性シース１はいわゆるマルチルーメンチューブであり、全体として可撓性を有する電気絶縁性の細長い中実棒状部材であって、図２におけるＩ−Ｉ断面を図示する図１にも示されるように、一対の導電性操作ワイヤ８を各々独立して挿通するための一対のガイド孔１ａが軸線方向に貫通して形成されている。
【００１４】
ガイド孔１ａは、互いの間に少なくとも０．５ｍｍ程度の間隔をあけて可撓性シース１の軸を挟んで対称の位置に形成され、それによって、各々に挿通配置されている一対の導電性操作ワイヤ８どうしが可撓性シース１内において確実に電気絶縁されている。
【００１５】
導電性操作ワイヤ８としては、ステンレス鋼撚り線が被覆せずに用いられており、ガイド孔１ａの内径（直径）は導電性操作ワイヤ８の直径より０．１〜０．３ｍｍ程度太く形成されている。
【００１６】
その結果、導電性操作ワイヤ８は可撓性シース１内で軸線方向に極めてスムーズに進退し、余分な隙間がないので、過度の力が作用した場合でも座屈することなく極めて良好に進退する。
【００１７】
可撓性シース１の先端には、電気絶縁性の例えば硬質プラスチック又はセラミック等からなる支持本体２が連結固着されており、その支持本体２には、先側に開口するスリット３が一定の幅で形成されている。
【００１８】
スリット３の先端部分には、支持本体２の中心軸線を挟んでその両側に離れた位置において各々スリット３を横断する状態に、ステンレス鋼棒製の二つの支軸５が平行に固着されている。
【００１９】
そして、ステンレス鋼等のような導電性金属からなる一対の嘴状電極４が、嘴状に開閉自在に二つの支軸５によって互いに独立して支持本体２に支持されている。嘴状電極４の嘴状に開閉する部分は、開口部どうしが対向するカップ状に形成されているが、腕状その他どの様な形状であっても差し支えない。
【００２０】
スリット３の先端部分内には、一対の嘴状電極４の間を電気的に絶縁するための絶縁スペーサ６が両嘴状電極４の間に位置するように配置され、支軸５によってそこに支持されている。
【００２１】
各嘴状電極４の後方部分は、支軸５による回転支持部より後方に駆動腕部４ａが一体に延出形成されており、その突端近傍に形成された通孔７に、各導電性操作ワイヤ８の先端が通されて連結されている。
【００２２】
二本の導電性操作ワイヤ８は、一本ずつ独立して可撓性シース１のガイド孔１ａ内に軸線方向に進退自在に全長にわたって挿通配置されていて、図４に示されるように、可撓性シース１の基端に連結された操作部１０において操作輪１１により軸線方向に進退操作される。
【００２３】
二本の導電性操作ワイヤ８の基端部は、操作部１０において高周波電源２０の正極と負極の電源コードに分かれて接続されており、高周波電源２０をオンにすることによって、一対の嘴状電極４の一方が高周波電流の正電極になり、他方が負電極になる。
【００２４】
このように、導電性操作ワイヤ８は、手元側から進退操作することにより嘴状電極４を開閉させる操作ワイヤであると同時に、一対の嘴状電極４に高周波電源２０の正極と負極とを独立して導通させるための導線として機能している。
【００２５】
このように構成された内視鏡用バイポーラ型高周波処置具は、一対の嘴状電極４を開いてその間に粘膜を挟み、嘴状電極４を閉じながら高周波電流を通電することにより、一対の嘴状電極４の間に位置する生体組織に高周波電流が流れて、粘膜の焼灼凝固や切開等を行うことができる。
【００２６】
そして、一対の嘴状電極４の間に位置する生体組織以外の部分には高周波電流が流れないので、嘴状電極４に通電したままの状態で処置を進めても周辺の生体組織が破壊されない。
【００２７】
【発明の効果】
本発明によれば、可撓性シースとして、電気絶縁性の細長い可撓性中実棒状部材に一対の導電性操作ワイヤを各々独立して挿通するための一対のガイド孔が軸線方向に貫通して形成されたマルチルーメンチューブを用いたことにより、一対の導電性操作ワイヤの間の電気絶縁性を十分に確保することができ、しかも動作が円滑で導電性操作ワイヤの座屈も発生し難く、低コストで製造することができる等の優れた効果を有する。
【図面の簡単な説明】
【図１】本発明の実施例の内視鏡用バイポーラ型高周波処置具の可撓性シースの軸線に垂直な断面における断面図（図２におけるＩ−Ｉ断面図）である。
【図２】本発明の実施例の内視鏡用バイポーラ型高周波処置具の先端部分の側面複合断面図である。
【図３】本発明の実施例の内視鏡用バイポーラ型高周波処置具の先端部分の平面複合断面図である。
【図４】本発明の実施例の内視鏡用バイポーラ型高周波処置具の全体構成図である。
【図５】従来の内視鏡用バイポーラ型高周波処置具のシースチューブの軸線に垂直な断面における断面図である。
【符号の説明】
１　可撓性シース
１ａ　ガイド孔
４　　嘴状電極
５　支軸
８　導電性操作ワイヤ
２０　高周波電源
【図１】
2004057454.tif 000003
【図２】
2004057454.tif 000004
【図３】
2004057454.tif 000005
【図４】
2004057454.tif 000006
【図５】
2004057454.tif 000007